(57)【特許請求の範囲】
【請求項１】
左右で一対をなす格子状矩形枠体の対向縁を枢結して二つ折り可能に一体化することによりグレーチング蓋を構成し、該グレーチング蓋が被着される矩形状受枠に、一方の格子状矩形枠体の外側縁を上下方向に起倒可能に連結し、他方の格子状矩形枠体の外側縁を案内手段を介して前記矩形状受枠に左右方向に移動可能に連結し、その左右方向移動により、前記枢結部を節として、格子状矩形枠体対が上方に折曲して二つ折り状に折畳まれるようにしたものであって、
前記案内手段が、矩形状受枠の、左右方向に延在する前後一対の側枠杆に夫々配設された一対のガイドレールと、左右方向に移動する格子状矩形枠体の外側縁に軸支されて、前記両ガイドレールに夫々嵌装され、該両ガイドレール内を転動する一対のローラとによって構成されると共に、
グレーチング蓋が被着される矩形状受枠は、左右方向に沿って配設された前後一対の基部杆と、該基部杆対の上面に固着されて、グレーチング蓋を囲繞する矩形状の上部枠とからなり、さらに該上部枠は、前記基部杆対の上部に左右方向に配設された前後一対の側枠杆と、基部杆対に前後方向に差し渡された左右一対の側枠杆とによって構成され、
前記側枠杆対の内側面には、断面略Ｃ字形のチャンネル杆からなるガイドレールが、その挿通口を対向させて左右方向に沿って夫々配設されていることを特徴とする避難ハッチ又は集水桝に使用されるグレーチング蓋の開閉装置。
【発明の詳細な説明】
【０００１】
【発明の属する技術分野】
本発明は、避難ハッチや集水桝等に使用するグレーチング蓋の開閉装置に関する。
【０００２】
【従来の技術】
一般に、高層ビルの屋上等には上下方向に開口した避難ハッチが形成されている。該避難ハッチには、その開口部を上方から覆う薄板金属製の遮蔽蓋が取付けられており、該遮蔽蓋は、その一側縁が前記開口部の周縁に固着された周枠に回動可能に枢結されて片開き状に開閉し得るようになっている。
【０００３】
一方、側溝等の集水桝には、その開口部を覆う遮蔽蓋が、該開口部の周縁に固着された受枠に上方から着脱可能に被着されているが、該遮蔽蓋は、通水性及び堅牢性を得るために金属製のグレーチングが多用されている。
【０００４】
【発明が解決しようとする課題】
上記のような避難ハッチの遮蔽蓋は、風の強い日に開閉すると、風圧が抵抗となってその開閉操作に力を要し、また、風圧による急激な開放作動の衝撃で枢結部が破損しやすく、さらに、薄板状の金属で形成されているため、人が乗るとその重量に耐えられず変形しやすいといった問題点がある。
【０００５】
一方、従来のグレーチングからなる集水桝用の遮蔽蓋にあっては、その開閉時に人力で上方に持ち上げて受枠から外したり、あるいは受枠に被着させたりしなければならない。ところが、グレーチングが金属製であるため、相当の重量があり、その開閉操作に力を要し、容易に開閉し得ないという問題点がある。
【０００６】
本発明は、かかる従来の問題点を解消し得るグレーチング蓋の開閉装置の提供を目的とするものである。
【０００７】
【課題を解決するための手段】
本発明は、左右で一対をなす格子状矩形枠体の対向縁を枢結して二つ折り可能に一体化することによりグレーチング蓋を構成し、該グレーチング蓋が被着される矩形状受枠に、一方の格子状矩形枠体の外側縁を上下方向に起倒可能に連結し、他方の格子状矩形枠体の外側縁を案内手段を介して前記矩形状受枠に左右方向に移動可能に連結し、その左右方向移動により、前記枢結部を節として、格子状矩形枠体対が上方に折曲して二つ折り状に折畳まれるようにしたものであって、
前記案内手段が、矩形状受枠の、左右方向に延在する前後一対の側枠杆に夫々配設された一対のガイドレールと、左右方向に移動する格子状矩形枠体の外側縁に軸支されて、前記両ガイドレールに夫々嵌装され、該両ガイドレール内を転動する一対のローラとによって構成されると共に、
グレーチング蓋が被着される矩形状受枠は、左右方向に沿って配設された前後一対の基部杆と、該基部杆対の上面に固着されて、グレーチング蓋を囲繞する矩形状の上部枠とからなり、さらに該上部枠は、前記基部杆対の上部に左右方向に配設された前後一対の側枠杆と、基部杆対に前後方向に差し渡された左右一対の側枠杆とによって構成され、
前記側枠杆対の内側面には、断面略Ｃ字形のチャンネル杆からなるガイドレールが、その挿通口を対向させて左右方向に沿って夫々配設されていることを特徴とする避難ハッチ又は集水桝に使用されるグレーチング蓋の開閉装置である。
【０００９】
かかる構成にあって、グレーチング蓋の遮蔽状態において、矩形状受枠に対して左右方向に移動可能に連結された一方の格子状矩形枠体の外側縁を、矩形状受枠に起倒可能に連結された他方の格子状矩形枠体の外側縁方向に向けて、案内手段を介して移動させることにより、格子状矩形枠体対が二つ折り状に折畳まれて、グレーチング蓋の開放状態が得られる。また、このグレーチング蓋の開放状態から、左右方向に移動可能な一方の格子状矩形枠体の外側縁を、上記と逆方向に移動させることにより、格子状矩形枠体対が水平状に伸展してグレーチング蓋の遮蔽状態が得られる。これにより、グレーチング蓋を矩形状受枠から外すことなく、その開閉を容易に行うことができる。
【００１０】
【発明の実施の形態】
本発明の一実施例を、図１〜図７について説明する。
【００１１】
図面において、１はグレーチング蓋、２は該グレーチング蓋１が被着される矩形状受枠を夫々示す。グレーチング蓋１は、左右で一対をなす格子状矩形枠体３ａ，３ｂの対向縁４ａ，４ｂをヒンジ５，５により枢結して二つ折り可能に一体化した格子状矩形枠体対６によって構成されている。また、前記格子状矩形枠体３ａ，３ｂ、矩形状受枠２及びヒンジ５は、堅牢な耐腐食性金属からなり、この耐腐食性金属として、ステンレスが好適に使用され得る。
【００１２】
前記格子状矩形枠体３ａ，３ｂは、夫々、所定間隔で並列させた複数のメインバー７と、各メインバー７に直交状に差し渡した複数のクロスバー８とによって格子状に構成され、さらに各メインバー７の前後両端部に二本のエンドバー９，９を配設して、その全体形状が矩形枠状となるように構成されている。
【００１３】
また、前記ヒンジ５，５は、図２イに示すように、夫々、枢結軸１０と該枢結軸１０に回動可能に枢支された左右の回動片１１，１１とからなり、該ヒンジ５，５によって、両格子状矩形枠体３ａ，３ｂの対向縁４ａ，４ｂに位置するメインバー７，７が枢結されている。即ち、該ヒンジ５，５は、枢結軸１０を両格子状矩形枠体３ａ，３ｂの下面側に位置させて、回動片１１，１１を対向縁４ａ，４ｂのメインバー７，７に夫々固着してあり、これによって、図２ロに示すように、該ヒンジ５，５（枢結部）を節として格子状矩形枠体対６を上方に折曲させて二つ折り状に折畳み得るようにしている。
【００１４】
一方、グレーチング蓋１が被着される矩形状受枠２は、その被着状態において、前記エンドバー９，９の下部に対応する位置に左右方向に沿って配設された前後一対の基部杆１２，１２と、該基部杆１２，１２の上面に固着されて、グレーチング蓋１を囲繞する矩形状の上部枠１３とからなり、さらに該上部枠１３は、前記基部杆１２，１２の上部に左右方向に配設された前後一対の側枠杆１４，１４と、基部杆１２，１２に前後方向に差し渡された左右一対の側枠杆１５ａ，１５ｂとによって構成されている。
【００１５】
前記側枠杆１４，１４の内側面には、図３に示すように、断面略Ｃ字形のチャンネル杆からなるガイドレール１６，１６が左右方向に沿って夫々配設されており、該ガイドレール１６，１６の挿通口１７，１７が前記格子状矩形枠体３ａ，３ｂの各エンドバー９，９に対向する位置に左右方向に沿って開口されている。
【００１６】
前記格子状矩形枠体３ａ，３ｂの内、一方の格子状矩形枠体３ａの外側縁１８ａに位置するメインバー７には、前記上部枠１３の側枠杆１５ａ側に突出する前後一対の支持片１９，１９を備えたブラケット２０が固着されており、該ブラケット２０の支持片１９，１９には、前記両ガイドレール１６，１６間に亘って支軸２１が横架されている。該支軸２１の両端部は、前記挿通口１７，１７から両ガイドレール１６，１６内に挿通されており、さらに該支軸２１の両端部には、両ガイドレール１６，１６に嵌装されて該ガイドレール１６，１６内を転動する一対のローラ２２，２２が夫々軸支されている。そして、このように格子状矩形枠体３ａの外側縁１８ａに軸支されたローラ２２，２２と、前記ガイドレール１６，１６とによって、格子状矩形枠体３ａの外側縁１８ａを矩形状受枠２に左右方向に移動可能に連結する案内手段が構成されている。
【００１７】
また、他方の格子状矩形枠体３ｂの外側縁１８ｂに位置するメインバー７には、前記上部枠１３の側枠杆１５ｂ側に突出する前後一対の支持片２３，２３を備えたブラケット２４が固着されており、該ブラケット２４の支持片２３，２３が、両ガイドレール１６，１６間に亘って横架された支軸２５に回動可能に枢支されている。この支軸２５は、図６に示すように、その両端部が前記挿通口１７，１７から両ガイドレール１６，１６内に挿通されて、両ガイドレール１６，１６の側壁部２６，２６に固着されている。そして、これにより、格子状矩形枠体３ｂの外側縁１８ｂを矩形状受枠２に上下方向に起倒可能に連結するようにしている。
【００１８】
また、矩形状受枠２の基部杆１２，１２の上面には、前記ガイドレール１６，１６の内側に位置させて積層状の嵩上材２７，２７が左右方向に沿って夫々配設されており、該嵩上材２７，２７によって、被着状態における格子状矩形枠体対６を水平状に保持するようにしている。尚、この嵩上材２７，２７をゴム等の弾性体で構成して、格子状矩形枠体対６との衝当時における緩衝及び防音作用を得るようにしてもよい。
【００１９】
かかる構成にあって、グレーチング蓋１を遮蔽状態から開放状態にするには、ヒンジ５，５により枢結された格子状矩形枠体対６の、その枢結部を軽く手で持ち上げながら、矩形状受枠２に対して左右方向に移動可能に連結された一方の格子状矩形枠体３ａの外側縁１８ａを、他方の格子状矩形枠体３ｂの外側縁１８ｂ方向に向けて押圧すると、格子状矩形枠体３ａの外側縁１８ａに軸支されたローラ２２，２２がガイドレール１６，１６内を転動して、該外側縁１８ａが他方の外側縁１８ｂ方向へ移動する。この移動に伴なって、格子状矩形枠体３ａが、その外側縁１８ａを支持する支軸２１を支点として上方に次第に立ち上げられるとともに、他方の格子状矩形枠体３ｂが、その外側縁１８ｂを支持する支軸２５を支点として上方に次第に立ち上げられる。そして、前記枢結部を節として、格子状矩形枠体対６が上方に折曲して、矩形状受枠２の側枠杆１５ｂ側に偏寄した位置で二つ折り状に折畳まれて、図７に示すような、グレーチング蓋１の開放状態が得られる。
【００２０】
また、このグレーチング蓋１の開放状態から、左右方向に移動可能な一方の格子状矩形枠体３ａの外側縁１８ａを、上記と逆に矩形状受枠２の側枠杆１５ａ側に移動させることにより、格子状矩形枠体対６が水平状に伸展してグレーチング蓋１を遮蔽状態とすることができる。
【００２１】
従って、本発明を集水桝に適用することにより、グレーチング蓋１を矩形状受枠２から外す必要がなく、また、グレーチング蓋１全体を持ち上げてその全重量を支える必要がないため、その開閉を容易に行うことができる。
【００２２】
また、本発明を避難ハッチに適用すれば、グレーチング蓋であるため、風の強い日に開閉しても風圧を受けず、上記のように開閉を容易に行うことができるとともに、人が乗っても容易に変形することがない堅牢性を具備したものとなる。
【００２３】
【発明の効果】
本発明は上述のように、左右で一対をなす格子状矩形枠体３ａ，３ｂの対向縁４ａ，４ｂを枢結して二つ折り可能に一体化することによりグレーチング蓋１を構成し、該グレーチング蓋１が被着される矩形状受枠２に、一方の格子状矩形枠体３ｂの外側縁１８ｂを上下方向に起倒可能に連結し、他方の格子状矩形枠体３ａの外側縁１８ａを案内手段を介して前記矩形状受枠２に左右方向に移動可能に連結し、その左右方向移動により、前記枢結部を節として、格子状矩形枠体対６が上方に折曲して二つ折り状に折畳まれるようにしたことにより、集水桝に適用すれば、グレーチング蓋１を矩形状受枠２から外すことなく、その開閉を容易に行うことができ、また、避難ハッチに適用すれば、風の強い日に開閉しても風圧を受けずに開閉することができるとともに、風圧による急激な開放作動の衝撃で枢結部が破損するといった従来の問題点も解消され、さらに、人が乗っても容易に変形しない堅牢性を得ることができる。
【００２４】
また、前記案内手段を、矩形状受枠２の、左右方向に延在する前後一対の側枠杆１４，１４に夫々配設された一対のガイドレール１６，１６と、左右方向に移動する格子状矩形枠体３ａの外側縁１８ａに軸支されて、前記両ガイドレール１６，１６に夫々嵌装され、該両ガイドレール１６，１６内を転動する一対のローラ２２，２２とによって構成したことことにより、格子状矩形枠体３ａの外側縁１８ａの移動操作を円滑に行うことができる等の優れた効果がある。
【図面の簡単な説明】
【図１】本発明にかかるグレーチング蓋の開閉装置の平面図である。
【図２】同上の格子状矩形枠体対の枢結部と、その作用状態を示す部分拡大断面図である。
【図３】格子状矩形枠体３ａの外側縁１８ａの案内手段を示す部分拡大断面図である。
【図４】格子状矩形枠体３ｂの外側縁１８ｂの連結部分を示す拡大平面図である。
【図５】同上の連結部分の拡大縦断正面図である。
【図６】同上の連結部分の拡大側断面図である。
【図７】グレーチング蓋の開放状態を示す縦断正面図である。
【符号の説明】
１  グレーチング蓋
２  矩形状受枠
３ａ，３ｂ  格子状矩形枠体
４ａ，４ｂ  対向縁
５  ヒンジ５（枢結部）
６  格子状矩形枠体対
１４  側枠杆
１６  ガイドレール
１８ａ，１８ｂ  外側縁
２２  ローラ
【図１】
0003892122.tif 000002
【図２】
0003892122.tif 000003
【図３】
0003892122.tif 000004
【図４】
0003892122.tif 000005
【図５】
0003892122.tif 000006
【図６】
0003892122.tif 000007
【図７】
0003892122.tif 000008